(57)【要約】【課題】接続する外部機器の多様化に対応して、外部機器との間で重複するデバイスが存在するとき、装置内蔵のデバイスの電源を切断して省電力を図る。【解決手段】テレビジョン放送信号を受信するチューナ１１と、ＨＤＭＩケーブル３にて外部機器２を接続する外部機器接続部１９と、接続された外部機器２から機器情報を取得し、映像音声データを伝送するＨＤＭＩ処理部１４３と、チューナ１１に電力を供給する電源供給回路１８ａを備える。ＨＤＭＩ処理部１４３により、接続された外部機器２がチューナ１１と同一の機能を備えると判定した場合、制御部１４１は電源供給回路１８ａに対し、チューナ１１への電力供給を停止させる。【選択図】図１
2010206441.tif 000002
【特許請求の範囲】
【請求項１】
テレビジョン放送を受信するテレビジョン受信装置において、
テレビジョン放送信号を受信して選局するチューナと、
選局した放送信号を処理して映像音声信号を生成する映像音声処理回路と、
ＨＤＭＩ（High-Definition Multimedia Interface）ケーブルにて外部機器を接続する外部機器接続部と、
接続された外部機器から機器情報を取得し、該外部機器との間で映像音声データを伝送するＨＤＭＩ処理部と、
上記チューナに電力を供給する電源供給回路と、
上記ＨＤＭＩ処理部と上記電源供給回路を制御する制御部とを備え、
上記ＨＤＭＩ処理部により、接続された外部機器が上記チューナと同一の機能を備えると判定した場合、上記制御部は上記電源供給回路に対し、上記チューナへの電力供給を停止させることを特徴とするテレビジョン受信装置。
【請求項２】
請求項１に記載のテレビジョン受信装置において、
前記ＨＤＭＩ処理部により、接続された外部機器が前記チューナとともにチューナ以外の機能も備えると判定した場合、前記制御部はユーザに対し、当該装置のチューナと前記外部機器のいずれを使用するかを選択させ、ユーザが前記外部機器を選択した場合、前記制御部は前記電源供給回路に対し、当該装置のチューナへの電力供給を停止させることを特徴とするテレビジョン受信装置。
【請求項３】
請求項１または２に記載のテレビジョン受信装置において、
前記ＨＤＭＩ処理部は、前記外部機器の機器情報として機器の種類を示す論理アドレスを取得し、前記チューナと同一の機能を備えるかどうかを判定することを特徴とするテレビジョン受信装置。
【請求項４】
請求項１に記載のテレビジョン受信装置において、
前記チューナの他に、モニタ、スピーカ、ＨＤＤ、ＤＶＤの少なくとも１つのデバイスと、該デバイスに対して個別に電力を供給する電源供給回路を備え、
前記ＨＤＭＩ処理部により、接続された前記外部機器が上記デバイスと同一の機能を備えると判定した場合、前記制御部は前記外部機器と重複する機能のデバイスに対し、上記電源供給回路を制御して、該デバイスへの電力供給を停止させることを特徴とするテレビジョン受信装置。
【請求項５】
請求項１に記載のテレビジョン受信装置において、
前記チューナの他に、モニタ、スピーカ、ＨＤＤ、ＤＶＤの少なくとも１つのデバイスと、該デバイスに対して個別に電力を供給する電源供給回路を備え、
前記ＨＤＭＩ処理部により、接続された前記外部機器が上記デバイスと同一の機能を備えると判定した場合、前記制御部はユーザに対し、当該装置のデバイスと同一機能の前記外部機器のいずれを使用するかを選択させ、ユーザが前記外部機器を選択した場合、前記制御部は前記外部機器と重複する機能のデバイスに対し、上記電源供給回路を制御して、該デバイスへの電力供給を停止させることを特徴とするテレビジョン受信装置。
【請求項６】
テレビジョン受信装置において、
当該テレビジョン受信装置と接続される外部機器から、該外部機器の種類に関する情報を受信するための受信部と、
該受信部で受信した前記外部機器の種類に関する情報に基づいて、前記外部機器と当該テレビジョン受信装置とで所定機能が重複するかを判別し、重複する場合は当該テレビジョン受信装置における前記所定機能を実行するための要素に対して、電源供給を停止させる電源供給制御部と、
を備えることを特徴とするテレビジョン受信装置。
【請求項７】
請求項６に記載のテレビジョン受信装置において、
前記所定機能を実行するための要素は、テレビジョン放送を受信するためのチューナであることを特徴とするテレビジョン受信装置。
【請求項８】
請求項６に記載のテレビジョン受信装置において、
当該テレビジョン受信装置と前記外部機器とはＨＤＭＩ（High-Definition Multimedia Interface）ケーブルにより接続され、前記外部機器の種類に関する情報として、前記ＨＤＭＩにおいて定められた前記外部機器の論理アドレスを用いることを特徴とするテレビジョン受信装置。
【発明の詳細な説明】
【技術分野】
【０００１】
本発明は、テレビ放送を受信するテレビジョン受信装置に係り、特に、外部機器と接続して使用する際に装置の消費する電力を低減する技術に関する。
【背景技術】
【０００２】
近年のテレビジョン受信装置は、多機能化を図るため装置内にＨＤＤやＤＶＤなどの記録装置を内蔵する製品が多くなっている。一方、テレビジョン受信装置の受信部（チューナ）と表示部（モニタ）とを分離して自由にレイアウトできるようにしたり、ケーブルテレビ放送から受信するためのセットトップボックス（ＳＴＢ）や他のＡＶ機器を接続するなど、ユーザの視聴環境に応じた多様な受信システムを構成することが可能になっている。
【０００３】
このような受信システム場合、システムを構成する機器間で、同一の機能を持ったデバイス、例えばチューナなどを互いに重複して所有する場合があり得る。そして、各機器の電源をＯＮにすると、当然ながら、重複するデバイスにも電力が供給される。重複するデバイスがそれぞれ異なる目的で使用されるなら問題ないが、同一の目的の場合には、一方のデバイスに供給される電力は無駄になる。その場合には、一方のデバイスの電力供給を止めることでテレビジョン受信装置の省電力を図ることができる。
【０００４】
これに関連する技術として、例えば特許文献１には、表示手段を内蔵する電子機器に表示手段を備えた外部制御手段（パーソナルコンピュータ）が接続される場合、内蔵する表示手段の電源を切断することで電子機器の消費電力を低減することが開示される。そのために電子機器は、外部制御手段がコネクタに接続されているか否かを判別する着脱判別手段、外部制御手段の電源スイッチの入切を検出する電源入切検出手段、外部制御手段とマイクロプロセッサとの間の通信の有無を検出する通信検出手段を備えるものである。
【先行技術文献】
【特許文献】
【０００５】
【特許文献１】特開２００２−３２８６７０号公報
【発明の概要】
【発明が解決しようとする課題】
【０００６】
テレビジョン受信装置とこれに接続する外部機器との間で共通の機能を有するデバイスとして、チューナ、モニタ、スピーカ、ＨＤＤ、ＤＶＤなどが挙げられる。今後さらにその種類が増えて、多様なシステム構成の家庭内ネットワークの実現が予想される。各機器間を接続するインターフェースには、デジタル映像・音声信号とともに制御信号を伝送可能なＨＤＭＩ（High-Definition Multimedia Interface）規格が採用される方向にある。ＨＤＭＩには、機器同士の制御プロトコルとしてＣＥＣ（Consumer Electric Control）通信プロトコルが規定されている。このような多様化する受信システムのもとで、より合理的にテレビジョン受信装置の省電力を図らなければならない。すなわち、複数の外部機器を接続するシステムにおいて、装置本体が所有するデバイスと重複するデバイスが存在するかどうかを判別して、重複するデバイスの電源供給を停止させる必要がある。
【０００７】
前記特許文献１では、電子機器（装置本体）に接続される機器は外部制御手段（パーソナルコンピュータ）を想定し、これに限定されている。よって、これ以外の外部機器を接続する場合には、新たな外部機器の着脱判別手段等を増設せねばならない。また特許文献１では、接続される外部機器の種類を識別することは考慮されていないので、複数の外部機器を１つのコネクタ（ケーブル）を共有して接続するような場合には適用できないという不都合を生じる。
【０００８】
本発明は、上記課題を鑑み、その目的は、接続する外部機器の多様化に対応して、外部機器との間で重複するデバイスが存在するとき、装置内蔵のデバイスの電源を切断して省電力を図るテレビジョン受信装置を提供することである。
【課題を解決するための手段】
【０００９】
本発明のテレビジョン受信装置は、テレビジョン放送信号を受信して選局するチューナと、選局した放送信号を処理して映像音声信号を生成する映像音声処理回路と、ＨＤＭＩ（High-Definition Multimedia Interface）ケーブルにて外部機器を接続する外部機器接続部と、接続された外部機器から機器情報を取得し、外部機器との間で映像音声データを伝送するＨＤＭＩ処理部と、チューナに電力を供給する電源供給回路と、ＨＤＭＩ処理部と電源供給回路を制御する制御部とを備える。ＨＤＭＩ処理部により、接続された外部機器がチューナと同一の機能を備えると判定した場合、制御部は電源供給回路に対し、チューナへの電力供給を停止させる構成とする。
【００１０】
またＨＤＭＩ処理部により、接続された外部機器がチューナ以外の機能も備えると判定した場合、制御部はユーザに対し、当該装置のチューナと外部機器のいずれを使用するかを選択させ、ユーザが前記外部機器を選択した場合、制御部は電源供給回路に対し、当該装置のチューナへの電力供給を停止させる。
【００１１】
さらに前記チューナの他に、モニタ、スピーカ、ＨＤＤ、ＤＶＤの少なくとも１つのデバイスと、該デバイスに対して個別に電力を供給する電源供給回路を備え、ＨＤＭＩ処理部により、接続された外部機器が上記デバイスと同一の機能を備えると判定した場合、制御部は外部機器と重複する機能のデバイスに対し、電源供給回路を制御して、該デバイスへの電力供給を停止させる。
【発明の効果】
【００１２】
本発明によれば、接続する外部機器の多様化に対応して、動作が重複するデバイスの電源を切断して合理的に省電力を図ることができる。
【図面の簡単な説明】
【００１３】
【図１】本発明のテレビジョン受信装置１の一実施例を示すブロック構成図。
【図２】ＣＥＣプロトコルで規定されている論理アドレスの定義を示す図。
【図３】本実施例における電源制御のフローチャートを示す図。
【図４】チューナの選択画面の一例を示す図。
【発明を実施するための形態】
【００１４】
以下、本発明の実施形態について、図面を参照して説明する。本実施例では簡単のために、テレビジョン受信装置が内蔵するチューナと、外部機器として接続したセットトップボックスが備えるチューナとが重複するデバイスである場合を取り上げる。
【００１５】
図１は、本発明のテレビジョン受信装置１の一実施例を示すブロック構成図である。
テレビジョン受信装置１は、チューナ１１、アナログ放送受信回路１２、デジタル放送受信回路１３、信号処理回路ブロック１４、表示部１５、音声回路１６、スピーカ１７、電源供給回路１８（１８ａ〜１８ｄ）、ＨＤＭＩ入出力部１９、リモコン受光部２０を備える。信号処理回路ブロック１４は、メインマイコン（制御部）１４１、デコーダ１４２、ＨＤＭＩ処理部１４３を含む。
【００１６】
チューナ１１は、所望のチャンネルに同調して当該チャンネルのテレビジョン放送信号を受信する。受信したレビジョン放送信号がアナログ放送信号の場合には、アナログ放送受信回路１２によって、中間周波数変換、復調処理などを行い、更に図示しないＡ／Ｄ変換器によってデジタル信号に変換される。一方、受信したレビジョン放送信号がデジタル放送信号の場合は、デジタル放送受信回路１３によって、中間周波数変換、復調処理などを行う。各受信回路１２、１３で受信した復調処理された信号は、デコーダ１４２に供給される。
【００１７】
本実施例においては、デコーダ１４２は圧縮符号化された映像信号を復号し伸張するためのデコード部と、各種の映像処理を行う信号プロセッサ部とを含んでおり、当該信号プロセッサ部は、映像信号に対し、必要に応じて例えばインターレース／プログレッシブ変換（走査変換）、画素数変換、フレームレート変換、コントラストやガンマ、ブライトネス調整、色補正処理などを行う。
【００１８】
アナログ放送受信回路１２からのデジタル化された映像信号に対しては、デコーダ１４２は上記デコード部を経由せずに、信号プロセッサ部で上述した各種の映像処理を行う。音声信号については、必要に応じて各種音声処理（例えば音声チャンネル数の変換処理）が施される。一方、デジタル放送信号は、例えばＭＰＥＧ−２等で圧縮符号化されているので、デコーダ１４２のデコード部で、デジタル放送受信回路１３から出力された当該圧縮符号化された信号を復号し伸張処理をして非圧縮映像・音声信号を生成する。復号化された映像信号は、上述の信号プロセッサ部で各種映像処理を行う。音声信号に対しては、必要に応じて各種音声処理（例えば音声チャンネル数の変換処理）が施される。
【００１９】
デコーダ１４２にて各種処理が施された映像信号は、液晶ディスプレイ（ＬＣＤ）やプラズマディスプレイ（ＰＤＰ）などの表示部１５で表示され、また音声信号は音声出力回路１６にてアナログ信号に変換され、更にボリューム調整がされてスピーカ１７に供給される。スピーカ１７からは、音声出力回路１６からの音声信号に基づき音声が出力される。
【００２０】
ＨＤＭＩ処理部１４３は、ＨＤＭＩ規格に従い外部機器との間で伝送するデジタル映像・音声データを処理するとともに、ＣＥＣメッセージを作成して接続されている外部機器を制御しその機器情報（ＨＤＭＩ規格で定められた外部機器の論理アドレス、物理アドレス）を取得する。
【００２１】
より詳細には、ＨＤＭＩ処理部１４３は、後述するＳＴＢ２からＨＤＭＩケーブル３を介して伝送され、入力端子であるＨＤＭＩ入出力部１９に入力された映像及び音声データを、ＨＤＭＩレシーバ（ＨＤＭＩ  Ｒｘ）１４４にて受信する。ＨＤＭＩケーブル３を介して伝送された映像及び音声データは、ＨＤＭＩ規格に従い所定のデータ構造とされた非圧縮のストリームデータであり、ＨＤＭＩレシーバ１４４は、当該上記ＨＤＭＩ規格に従い所定のデータ構造とされたストリームデータを復元してデコーダ１４２に供給する。デコーダ１４２は、このＨＤＭＩレシーバ１４４で受信した信号については、デコード部を介さずに映像プロセッサ部で所定の映像処理を行う。
【００２２】
また、ＨＤＭＩケーブル３はＣＥＣメッセージを通信するためのＣＥＣラインを含んでおり、このＣＥＣラインはＣＥＣブロック１４５に接続されている。またＣＥＣブロック１４５は、サブマイコン１４６に接続されている。サブマイコン１４６は、リモコン受光部２０で受信したリモコン（図示せず）からのリモコン信号を入力し、このリモコン信号で伝送されたコマンドを解析する。リモコン受光部２０で受信したコマンドがテレビジョン受信装置１を制御するためのコマンドである場合は、サブマイコン１４６はこれをメインマイコン１４１に供給し、メインマイコン１４１により各部を制御する。ここで、テレビジョン受信装置１を制御するためのコマンドとしては、例えばテレビジョン受信装置１の電源ＯＮ／ＯＦＦ、チャンネルの切換、ボリュームの調整等がある。
【００２３】
一方、リモコン受光部２０で受信したリモコン信号のコマンドがＨＤＭＩケーブル３に接続されたＳＴＢ２を制御するためのコマンドである場合は、サブマイコン１４６はこれをＣＥＣブロック１４５に送信し、ＣＥＣブロック１４５は当該コマンドをＣＥＣメッセージとして、ＣＥＣラインを介してＳＴＢ２に送信する。ここで、ＳＴＢ２を制御するためのコマンドとしては、例えばＳＴＢの電源ＯＮ／ＯＦＦ、チャンネルの切換等がある。
図１では、リモコン受光部２０は表示部１５から離れた位置に図示されているが、通常は表示部１５の下部に配置される。
【００２４】
またＣＥＣブロック１４５は、ＣＥＣラインを介して伝送されたＳＴＢ２からの例えばコマンド等を含むＣＥＣメッセージを、サブマイコン１４６を介してメインマイコン１４１に送信する。
更にＣＥＣブロック１４５は、ＨＤＭＩネットワーク（ＨＤＭＩケーブル３により接続された複数の機器で構成されたネットワーク）において論理アドレス、物理アドレスを設定するための各種外部機器情報を送受信するためにも用いられる。この論理アドレス、物理アドレスの詳細については後述するものとする。
【００２５】
電源供給回路１８ａ〜１８ｄは、装置内の各構成回路に個別に電力を供給する。メインマイコン（制御部）１４１は、サブマイコン１４６に入力されたリモコン信号のコマンドによりチューナ１１や電源供給回路等の各部の制御を行い、また、ＣＥＣメッセージを利用してＨＤＭＩ処理部１４３が取得した外部機器情報をもとに、各電源供給回路１８ａ〜１８ｄに対し電源のＯＮ／ＯＦＦを個別に制御する。
【００２６】
上述のように、テレビジョン受信装置１には、ＨＤＭＩケーブル３を介して、外部機器としてＳＴＢ（セットトップボックス）２が接続される。ＨＤＭＩ入出力部１９とＨＤＭＩ入出力部２５は、双方の入出力端である。ＳＴＢ２には、アンテナ４にて受信した圧縮符号化されたデジタルテレビジョン放送信号やアナログテレビジョン放送信号が供給され、チューナ２１で所望のチャンネルを選局し、アナログ放送受信回路１２、デジタル放送受信回路１３と同様な受信回路２２（図１では図示を簡略化するために両者を一体化している）によって、アナログ放送信号、デジタル放送信号について、それぞれ個別に中間周波数変換、復調処理を行う。アナログ放送信号の場合は復調処理の後に、更に図示しないＡ／Ｄ変換器によりデジタル信号に変換される。受信回路２２からの信号はデコーダ２３に供給され、デジタル放送信号を受信する場合は、デコーダ２３により当該圧縮符号化されたデジタル放送信号を復号、伸張処理をして非圧縮映像・音声信号を生成する。デジタル放送信号を受信する場合は、かかる復号化処理は為されない。デコーダ２３からの映像・音声信号は、ＨＤＭＩトランスミッタ（ＨＤＭＩ  Ｔｘ）２４に入力され、ここで非圧縮映像・音声信号のデータがＨＤＭＩ規格で定められた所定の構造を有するストリームデータに変換され、出力端子であるＨＤＭＩ入出力部２５及びＨＤＭＩケーブル３を介して、テレビジョン受信装置１側へ伝送される。
【００２７】
ＨＤＭＩ規格では、ＴＭＤＳ（Transition Minimized Differential Signaling）伝送技術を採用し、１本のＨＤＭＩケーブル３で映像、音声および制御信号の伝送が可能である。ＨＤＭＩ規格では、制御信号を双方向に伝送させるためのプロトコルとしてＣＥＣ（Consumer Electronics Control）を規定している。ＣＥＣプロトコルを用いれば、制御信号を機器で中継させることで１台のリモコンから複数の機器を制御することができる。つまり、１台のリモコンで、テレビジョン受信装置１とＳＴＢ２の両方を操作することが可能である。
【００２８】
本実施例では、テレビジョン受信装置１はＨＤＭＩケーブル３を介して接続されている外部機器の種類を上記ＨＤＭＩのＣＥＣプロトコルで通信される情報を利用して認識する。また、本実施例では、ＨＤＭＩケーブル３に接続されている外部機器に電源が供給されているかどうかを確認できるようにしている。認識した外部機器の種類が内蔵するデバイス（本例ではチューナ１１）と同一機能のデバイスを備え、その外部機器に電力が供給されているときは、内蔵するチューナ１１の電源を電源供給回路１８ａにより切断する。すなわち、ＳＴＢ２のチューナ２１を用いて受信動作を行うときは、内蔵するチューナ１１への電力供給を停止して、省電力を図るものである。
【００２９】
ここで、ＨＤＭＩケーブル３で接続された機器間の相互認識のために、各機器に割り当てられたアドレス情報を利用する。ＣＥＣプロトコルでの機器認識および接続構成認識においては、まず、一方向データ接続であるＤＤＣ（Display Data Channel）バスを利用し、物理アドレスがマッピングされる。物理アドレスとは、４ビットずつ４つに区切られた１６ビットの数値が使われる識別番号で、“０．０．０．０”などのように、０から１５までの１０進数の数字を４つ並べて表現する。テレビジョン受信装置１はＨＤＭＩ出力を持たない機器として、ルートアドレスである“０．０．０．０”が物理アドレスとして割り当てられ、これにＨＤＭＩケーブル３で接続される機器（本実施例ではＳＴＢ２）には例えば“１．０．０．０”が、そのＳＴＢ２に例えばＨＤＤレコーダなどが接続された場合には、そのＨＤＤレコーダには例えば“１．１．０．０”が、物理アドレスとして割り当てられる。また、テレビジョン受信装置１に、ＳＴＢ２とは並列に別の機器（例えばＤＶＤプレーヤ）が接続された場合には、そのＤＶＤプレーヤには“２．０．０．０”が物理アドレスとして割り当てられる。このように、物理アドレスは、テレビジョン受信装置１を基準にして、そのテレビジョン受信装置１との接続関係（階層）に応じて各機器に設定、割り当てられる。
【００３０】
物理アドレスが割り当てられた後、双方向接続であるＣＥＣバスを利用し、各機器間の双方向通信のための論理アドレスがマッピングされる。論理アドレスとは、機器のカテゴリを定義したＩＤであって、ＨＤＭＩのＣＥＣにおける現在のバージョンの規格では、図２に示されるように０〜１５まで扱えることになっており、ＨＤＭＩネットワーク内では唯一名となっている。この論理アドレスは外部機器の種類に応じて異なっている。
【００３１】
図２は、ＣＥＣプロトコルで規定されている論理アドレスの定義を示す図である。ＨＤＭＩネットワーク内機器には前述の物理アドレスが割り当てられた後、自機器の機器カテゴリに対応する論理アドレスの取得を開始する。論理アドレスの取得は、ＣＥＣ制御信号で伝送されるＣＥＣメッセージの１つであるポーリングメッセージの伝送で実現される。ポーリングメッセージの説明は省略する。その結果、テレビジョン受信装置１には「ＴＶ」デバイスであることを示す論理アドレス「０」が、ＳＴＢ２には「Tuner」デバイスであることを示す論理アドレス「３」または「６」，「７」，「１０」が割り当てられる。テレビジョン受信装置１に接続されているＳＴＢは１台のみである場合には、ＳＴＢ２には論理アドレス「３」が割り当てられることになろう。論理アドレスは機器の種別を示すアドレスで、ＣＥＣライン上の機能１つに対して１つ与えられる。複数機能を持つ機器には、機能ごとに論理アドレスを複数個割り当てることもできる。
【００３２】
図３は、本実施例における電源制御のフローチャートを示す図である。以下の制御は、メインマイコン（制御部）１４１の指令により進められる。
Ｓ１００では、テレビジョン受信装置１と外部機器（ＳＴＢ２）の電源がＯＮにされる。
Ｓ１０１では、ＨＤＭＩ処理部１４３は、論理アドレス値の変数ｉを初期値「１」に設定する。ちなみに論理アドレスｉ＝１とは、「Recording Device１」の機器を指す。
【００３３】
Ｓ１０２では、ＨＤＭＩ処理部１４３は、ＣＥＣメッセージ（ポーリングメッセージ）を送信し、論理アドレスｉ＝１の外部機器が接続されているかどうか確認する。論理アドレスｉ＝１の外部機器が接続されかつその電源がＯＮであればＡＣＫ応答が返ってくるが、接続されていないもしくは接続されていても電源がＯＮされていない場合はＡＣＫ応答が返ってこない。ＡＣＫ応答有りであれば（Ｓ１０２でＹｅｓ）、Ｓ１０３へ進み、ＡＣＫ応答無しであれば（Ｓ１０２でＮｏ）、Ｓ１０４へ進む。
Ｓ１０３では、ＡＣＫ応答有りの論理アドレス値ｉを一次記憶し、Ｓ１０４へ進む。
Ｓ１０４では、論理アドレス値の変数ｉが１５まで終了したかどうか判定する。終了していなければ、Ｓ１０５へ進み、変数ｉに1を加算しｉ＝２としてＳ１０２へ戻る。続いてＳ１０２では、ｉ＝２（Recording Device２）の機器が接続されているかどうか確認する。
【００３４】
以上の動作を、変数ｉが１５となるまで繰り返す。ｉ＝１５まで終了すればＳ１０６へ進む。本例の場合は、論理アドレスｉ＝３，６，７，１０のいずれかの場合にＡＣＫ応答有りとなり、外部機器として「Tuner」が接続されていることを知ることができる。
【００３５】
Ｓ１０６では、ＡＣＫ応答の有った論理アドレスにチューナを示すｉ＝３，６，７，１０のいずれかが含まれているかどうか判定する。含まれていれば（Ｓ１０６でＹｅｓ）、Ｓ１０７へ進む。含まれていなければ（Ｓ１０６でＮｏ）、Ｓ１１０へ進む。
Ｓ１０７では、ＡＣＫ応答の有った論理アドレスにチューナ以外のデバイスが含まれているかどうか判定する。含まれていれば（Ｓ１０７でＹｅｓ）、Ｓ１０８へ進む。含まれていなければ（Ｓ１０７でＮｏ）、Ｓ１１１へ進む。
【００３６】
Ｓ１０８では、外部機器のチューナと装置本体のチューナのいずれを使用するか、表示部１５にチューナ選択画面を提示する。選択画面の一例を図４に示す。
Ｓ１０９では、ユーザが装置本体のチューナを使用することを選択したかどうか判定する。装置本体のチューナを選択していれば（Ｓ１０９でＹｅｓ）、Ｓ１１０へ進む。外部機器のチューナを選択していれば（Ｓ１０９でＮｏ）、Ｓ１１１へ進む。
【００３７】
Ｓ１１０では、ＡＣＫ応答の存在した論理アドレス（外部機器の種別）を記憶し、終了する。記憶した論理アドレスは、引き続き外部機器に対する制御に利用する。
Ｓ１１１では、電源供給回路１８ａ、１８ｂ、１８ｃに対し、装置本体のチューナ１１、アナログ受信回路１２及びデジタル受信回路１３に対する電源供給を停止させ、終了する。この場合、装置本体のチューナ１１及び各受信回路１２，１３の電源を切断しても、外部機器のチューナ２１及び受信回路２２で受信機能をカバーできるので何ら支障はない。
【００３８】
このように、本実施例では、テレビジョン受信装置１の外部に接続された機器が、テレビジョン受信装置１の内部機能と重複する機能、例えばチューナ備えているかをＨＤＭＩのＣＥＣシステムにおける論理アドレス（外部機器の種類に関する情報）を利用してこれを判別することにより、ＨＤＭＩネットワーク（システム）全体としての機能を削減することなく、ＨＤＭＩネットワークにおいて重複している機能（テレビジョン受信装置１の内部機能）に対する電力消費を無くすまたは低減することができる。従って、本実施例によれば、ＨＤＭＩネットワークにおける機能を維持したまま低消費電力化を実現することができる。
【００３９】
テレビジョン受信装置１にＳＴＢ２が接続されていても、ＳＴＢ２の電源が入っていない場合は、ＳＴＢ２からＡＣＫ応答がテレビジョン受信装置１に返ってこない。よって、この外部機器からのＡＣＫ応答の有無を確認することで、接続された外部機器が電源ＯＮかどうかをチェックすることができる。そして本実施例では、テレビジョン受信装置１の内部機能と重複する機能を有する外部機器がテレビジョン受信装置１に実際に接続されていても、当該接続された外部機器の電源がＯＦＦの場合（非活動状態）は、その外部機器からＡＣＫ応答が無いので、当該外部機器と重複するテレビジョン受信装置１の内部機能の電源を落とさないようにしている。このように構成することで、ＨＤＭＩネットワークにおいて重複している機能が同時に使用できない状態となることを回避することができる。
【００４０】
なお、上記の例では、アナログ受信回路１２及びデジタル受信回路１３の両方に対する電源供給を停止するようにしたが、デジタル放送の普及に伴いデジタル受信回路１３のみを備えるＳＴＢ２も出現することが考えられるので、この場合は、電源供給回路１８ｃに対し、デジタル受信回路１３のみの電源供給を停止するように制御してもよい。
【００４１】
また、外部機器がチューナ単独ではなく他の機能（例えばレコーダなど）を有する場合（Ｓ１０７でＹｅｓ）には、外部機器のチューナ２１と装置本体のチューナ１１とを異なる目的で使用する場合も有りえる。そこで、本実施例では、Ｓ１０８とＳ１０９にて、外部機器がチューナとその他機能とを備えている場合には、テレビジョン受信装置１のチューナを使用するかどうかをユーザに選択させるようにしたものである。
【００４２】
図４は、チューナの選択画面の一例を示す図である。接続している外部機器がチューナであると認識され、テレビ本体のチューナととともに利用可能となっていることを表示している。そしてユーザに対し、いずれのチューナを使用するか選択させるメッセージを表示する。ここでユーザが外部機器で受信することを選択すれば、テレビ本体のチューナへの電源供給を停止し、省電力状態に切り替わる。
【００４３】
上記した実施例では、テレビジョン受信装置が備えるチューナに着目して、同一機能の外部機器が接続された場合の省電力制御について述べた。テレビジョン受信装置と外部機器の間で重複するデバイスとしては、チューナ以外に、モニタ、スピーカ、ＨＤＤ、ＤＶＤなどが想定され、今後その種類も増加することが予想される。そのような場合にも、本実施例の省電力制御を拡張して同様に適用できることは言うまでもない。例えば外部機器としてスピーカが接続される場合は、図１における電源供給回路１８ｄを制御して、音声出力回路１６への電力供給を停止させるようにすればよい。外部機器がＨＤＤレコーダであり、テレビジョン受信装置１がＨＤＤ録画再生機能を内蔵する場合には、当該テレビジョン受信装置１のＨＤＤ録画再生機能に対し電源を停止するようにしてもよい。本実施例では、ＨＤＭＩで定められた論理アドレスを用いることで外部機器とその機能を正確に識別できるので、多様化するデバイスに対し合理的に対処できる。
【００４４】
さらに、ＨＤＭＩの制御信号を利用すれば、接続されている外部機器を制御することが可能である。よって、自機器と外部機器との間でデバイス（機能）が重複するとき、自機器のデバイスには通電し、外部機器のデバイスの電源を切断することも可能となる。ユーザは視聴環境に応じていずれの電源を切断するかを選択できることになり、システム全体の省電力とユーザの使い勝手の向上を図ることができる。
【符号の説明】
【００４５】
１…テレビジョン受信装置、
２…セットトップボックス（ＳＴＢ）
３…ＨＤＭＩケーブル
４…アンテナ、
１１…チューナ、
１２…アナログ放送受信回路、
１３…デジタル放送受信回路、
１４…信号処理回路ブロック、
１４１…メインマイコン（制御部）、
１４２…デコーダ、
１４３…ＨＤＭＩ処理部、
１４４…ＨＤＭＩレシーバ、
１４５…ＣＥＣブロック、
１４６…サブマイコン、
１５…表示部、
１６…音声回路、
１７…スピーカ、
１８ａ〜１８ｄ…電源供給回路、
１９…ＨＤＭＩ入出力部、
２０…リモコン受光部、
２１…チューナ、
２２…受信回路、
２３…デコーダ、
２４…ＨＤＭＩトランスミッタ、
２５…ＨＤＭＩ入出力部。
【図１】
2010206441.tif 000003
【図２】
2010206441.tif 000004
【図３】
2010206441.tif 000005
【図４】
2010206441.tif 000006